(57)【要約】【課題】対象地域が広い場合でも参加者が意欲を持続して巡回することが可能で、地域の歴史に触れ、地域に親近感や愛着を持たせることが可能な地域活性化システムを提供すること。【解決手段】サーバ装置(３)に巡回する地点の地点識別データ、その地点が属するゾーン識別データ、その地点に関連する画像データを記憶させておく。各地点に設置される情報提供装置(２)にはそれが設置された地点の地点識別データを格納しておき、情報提供装置は参加者が保持している携帯端末を検知したら携帯端末にその地点を報知する。サーバ装置は携帯端末が接続された地点の次の目的地点が属するゾーン名と目的地点に関連した画像を送出する。参加者は送出された情報をヒントとして次の目的地点を探す。【選択図】図１
2007304736.tif 000002
【特許請求の範囲】
【請求項１】
Ａ．
地点を識別する地点識別データを携帯端末に提供する情報提供装置と、
Ｂ．
各前記地点に対応づけられている画像データを入力する入力手段と、
前記画像データを前記地点と対応づけて記憶する記憶手段と、
前記携帯端末の接続を受けて、当該地点の次に訪れるべき地点に対応づけられている前記画像データを前記記憶手段から読み出して出力する出力手段と
を有するサーバ装置と
を備えることを特徴とする地域活性化システム。
【請求項２】
Ａ．
地点を識別する地点識別データを携帯端末に提供する情報提供装置と、
Ｂ．
地域を複数のゾーンに分ける各ゾーンを識別するゾーン識別データ、及び、所定の前記ゾーン内の所定の地点に対応づけられている画像データを入力する入力手段と、
前記地点に対応づけて前記ゾーン識別データ及び前記画像データを記憶する記憶手段と、
前記携帯端末の接続を受けて、当該地点の次に訪れるべき地点に対応づけられている前記ゾーン識別データ及び前記画像データを前記記憶手段から読み出して出力する出力手段と
を有するサーバ装置と
を備えることを特徴とする地域活性化システム。
【請求項３】
前記画像データは異なる時に撮影された複数の画像データであることを特徴とする請求項１又は２記載の地域活性化システム。
【請求項４】
前記情報提供装置は、訪れるコース及び前記地点識別データを携帯端末に提供し、前記サーバ装置は、該コースに対応づけて前記ゾーン識別データ及び画像データを、前記入力手段が入力し、前記記憶手段が記憶し、前記出力手段が出力することを特徴とする請求項２又は３記載の地域活性化システム。
【請求項５】
前記情報提供装置は、その地点を訪問したことを証明するデータを前記携帯端末に送信することを特徴とする請求項１乃至４いずれかに記載の地域活性化システム。
【請求項６】
コンピュータを、請求項１乃至４いずれかに記載のサーバ装置として機能させるためのプログラム。
【発明の詳細な説明】
【技術分野】
【０００１】
本発明は、地域に住んでいたり訪れたりする人達に対して地域の情報を、実際に移動しながら学んだり楽しんだりしてもらうための地域活性化システム及びプログラムに関する。
【背景技術】
【０００２】
近年、携帯電話やインターネットなどの情報伝達手段の利用が進んでおり、これを使用した店舗の広告などを目的とした情報提供システムが広く用いられている。
【０００３】
情報提供の効果を高める工夫として、各地点で行先情報を利用者の携帯端末に出力し、あたかもスゴロクゲームで駒を進めるようなゲーム感覚で行き先を実際に訪れるための動機付けをする情報提供システムが知られている（例えば、特許文献１参照。）。
【０００４】
また、使用者にＩＣカードを持たせ、訪問地点に設置したＩＣカードリーダで訪問者に、自地点からの移動が、予め定められた閾値より容易である地点のうち１つをランダムに選択し、次地点として、出力する観光ナビゲーションシステムも知られている（例えば、特許文献２参照。）。
【特許文献１】特開２００５−１６５８６８号公報
【特許文献２】特開２００５−２９３４９８号公報
【発明の開示】
【発明が解決しようとする課題】
【０００５】
しかし、これらの情報提供システムなどは、次に訪れる地点が明らかに分かる形態でその情報を提供するものであるので、参加者の知恵が試される要素が少ないために、参加者に必ずしも満足感を与えるものではない。
【０００６】
また、次の訪問地がはっきりと分かってしまうため、参加者は次の訪問地へ向かう経路の途中で街の景色に目を向けようとする意欲をかきたてられるようなこともなく、地域の歴史に触れ、地域に親近感や愛着を持たせることができるものではない。
【０００７】
本発明は、上記問題点に鑑み、本発明に係る地域活性化システムを使用する企画への参加者の参加意欲を高めるとともに、参加者が地域の歴史に触れて、参加者に地域への親近感や愛着を持たせることができる地域活性化システム及びプログラムを提供することを目的とする。
【課題を解決するための手段】
【０００８】
上記目的を達成するため、
請求項１に記載した本発明の地域活性化システムは、
Ａ．
地点を識別する地点識別データを携帯端末に提供する情報提供装置と、
Ｂ．
各前記地点に対応づけられている画像データを入力する入力手段と、
前記画像データを前記地点と対応づけて記憶する記憶手段と、
前記携帯端末の接続を受けて、当該地点の次に訪れるべき地点に対応づけられている前記画像データを前記記憶手段から読み出して出力する出力手段と
を有するサーバ装置と
を備えることを特徴とする。
【０００９】
また、請求項２に記載した本発明の地域活性化システムは、
Ａ．
地点を識別する地点識別データを携帯端末に提供する情報提供装置と、
Ｂ．
地域を複数のゾーンに分ける各ゾーンを識別するゾーン識別データ、及び、所定の前記ゾーン内の所定の地点に対応づけられている画像データを入力する入力手段と、
前記地点に対応づけて前記ゾーン識別データ及び前記画像データを記憶する記憶手段と、
前記携帯端末の接続を受けて、当該地点の次に訪れるべき地点に対応づけられている前記ゾーン識別データ及び前記画像データを前記記憶手段から読み出して出力する出力手段と
を有するサーバ装置と
を備えることを特徴とする。
【００１０】
また、請求項３に記載した本発明の地域活性化システムは、
前記画像データは異なる時に撮影された複数の画像データであることを特徴とする。
【００１１】
また、請求項４に記載した本発明の地域活性化システムは、
前記情報提供装置は、訪れるコース及び前記地点識別データを携帯端末に提供し、前記サーバ装置は、該コースに対応づけて前記ゾーン識別データ及び画像データを、前記入力手段が入力し、前記記憶手段が記憶し、前記出力手段が出力することを特徴とする。
【００１２】
また、請求項５に記載した本発明の地域活性化システムは、
前記情報提供装置は、その地点を訪問したことを証明するデータを前記携帯端末に送信することを特徴とする。
【００１３】
また、請求項６に記載した本発明のプログラムは、
コンピュータを、請求項１乃至４いずれかに記載のサーバ装置として機能させるためのプログラムであることを特徴とする。
【発明の効果】
【００１４】
請求項１に記載した本発明の地域活性化システムによれば、参加者は次に訪問すべき地点をその地点の名称や番地などを頼りに探すのではなく、その地点に関連つけられた写真などの画像をヒントとして目的地点を探すことができるので発見の喜びが強まり、地点巡回をなお一層楽しむことができる。また、画像をヒントとして目的地点を探すことになるため、参加者はその地域の離ればなれの点から点へと移動するという感覚ではなく、地域全体の一つひとつの外観及び景色を目に焼き付けることになり、参加者に地域への親近感や愛着を持たせることができる。さらに、ヒントとなる画像には昔の画像を使うこともでき、この場合には昔の画像をヒントとして現風景の中から目的地点を探すことになるため、参加者は地域の歴史にも触れて、参加者に更に地域への親近感や愛着を持たせることができる。
【００１５】
請求項２に記載した本発明の地域活性化システムによれば、参加者が次に訪問すべき地点を広い対象地域の中の比較的狭いゾーンに含まれるものとして知り、そのゾーンに到達した時点で訪問すべき地点に関連つけられた写真などの画像をヒントとして目的地点を探すことができるので、対象地域が広い場合でも極端な困難さを伴うことなく参加者は次の訪問先をみつけることが可能であり、参加者の力量に合わせた、程よい困難さで参加者は楽しみながら地域を回ることができる。
【００１６】
請求項３に記載した本発明の地域活性化システムによれば、ヒントなる画像をたとえば次の目的地点の現在の写真及び数十年前の写真のように複数提供することにより、地域の歴史に触れ、地域に親近感や愛着を持たせることが可能である。
【００１７】
請求項４に記載した本発明の地域活性化システムによれば、１つの決められたコースを参加者全員が行進するということではなく、それぞれの参加者の嗜好に応じて複数のコースの中から参加者が自分の好みのコースを選択することができ、参加者が特に関心を持っている地域の一面に触れてもらうことが可能である。
【００１８】
請求項５に記載した本発明の地域活性化システムによれば、携帯端末にその地点を訪問したことを証明するデータが残されるので、このデータをクーポン券として使用したり、目的地点やゴールの順位付けや賞品の授与などの証として使用することができる。
【００１９】
請求項６に記載した本発明のプログラムは、本発明の地域活性化システムのサーバ装置のプログラムを提供する。
【発明を実施するための最良の形態】
【００２０】
以下、添付図面を参照しながら本発明を実施するための最良の形態について詳細に説明する。
【実施例１】
【００２１】
図１は、請求項５に係る発明の原理図であり、図２は、請求項２に係る発明の原理図であり、図３は、請求項１に係る発明の原理図である。ここでは、図１を参照して、本発明の実施例１による地域活性化システムの構成を説明する。
【００２２】
本実施例１の地域活性化システムは、携帯端末１、情報提供装置２、及びサーバ装置３からなる。図４は、実施例１による地域活性化システムの具体例を示す図である。
【００２３】
携帯端末１は、情報を送信及び受信する通信機能、及び画像を表示する表示器を有する。携帯端末１は、この地域活性化システム専用につくられてものでもよいが、たとえばインターネット閲覧機能とＩＣカード機能を備えた携帯電話機でもよい。この場合、インターネット閲覧機能としていわゆるｉモード(登録商標)を、ＩＣカード機能としていわゆるトルカ(登録商標)を備えた高機能携帯電話機を使用することができる。上記した高機能携帯電話機を携帯端末１として使用する場合、サーバ装置３とのやりとりはｉモードのインターネット閲覧機能を、情報提供装置２の携帯端末検知手段２０はトルカに対応したＩＣカードリーダライタであるパソリ(登録商標)の機能を有していればよい。
【００２４】
情報提供装置２は、携帯端末検知手段２０、地点識別データ２１、及びスタンプデータ２３を具備する。携帯端末１が上述の高機能携帯電話機の場合、携帯端末検知手段２０は、パソリ機能により携帯端末１の接近を検出する。地点識別データ２１は、その地点を識別するデータであり、携帯端末１に提供する。この地点識別データ２１は、好ましくはＵＲＬ（Uniform Resource Locator）形式である。スタンプデータ２３は、その地点を訪問したことを証明するデータであり携帯端末１に提供する。
【００２５】
サーバ装置３は、入力手段３１、記憶手段３２、及び出力手段３３を具備する。入力手段３１は、サーバ外部から地点識別データ５、ゾーン識別データ６、及び画像データ７を入力し、これを記憶手段３２に記憶する。記憶手段３２は、揮発性又は不揮発性の記憶手段であり、これら地点識別データ５、ゾーン識別データ６、及び画像データ７を記憶する。出力手段３３は、インターネットのサイトとして、携帯端末１からの所定のＵＲＬによる接続に応じてＨＴＭＬ（HyperText Markup Language）形式などの画像を携帯端末１に送信して、携帯端末１はその画像を表示器に表示できる。図４では、昔の街並みと、今の街並みを表示する例を示している。
【００２６】
図５は、実施例１による画面の具体例１を示す図である。まず、コメントを表示し、つぎに、品物の写真を表示し、コメントを表示し、昔から今にクロスフェードする街並みの写真を表示し、そして、コメントを表示して、次に訪れる地点のヒントを表示する例を示している。
【００２７】
図６は、実施例１による画面の具体例２を示す図である。昔の写真と今の写真のそれぞれを連続パノラマ写真的に表示する例を示している。
【００２８】
図７は、実施例１による地域構造を示す図であり、図８は、実施例１による地域構造の具体例を示す図である。地域は複数のゾーンに分類されている。図７は地域がゾーン６１、ゾーン６２、ゾーン６３と表現された３ゾーンに分類された一例を示している。各ゾーンには単数又は複数の地点が設定される。図７ではゾーン６１の中に地点６１５１、ゾーン６２の中に地点６２５１、ゾーン６３の中に地点６３５１が設定された一例を示しており、それぞれの地点に情報提供装置２が設置されている。
【００２９】
図９は、実施例１による地域データ構造を示す図である。この地域データ８は、サーバ装置３の記憶手段３２に記憶される。地域データ８は複数の地点データを含んでいる。図９に示した一例では図７の地点６１５１、地点６２５１、及び地点６３５１それぞれに対応する地点データ６１５１Ｄ、地点データ６２５１Ｄ、及び地点データ６３５１Ｄの地点データが含まれている。図９に示すごとく、それぞれの地点データ６１５１Ｄ、６２５１Ｄ、６３５１Ｄにはその地点に対応するそれぞれの地点識別データ６１５１Ｃ、６２５１Ｃ、６３５１Ｃ、ゾーン識別データ６１５１Ｚ、６２５１Ｚ、６３５１Ｚ、画像データ６１５１Ｇ、６２５１Ｇ、６３５１Ｇが含まれている。すなわち、これらのデータは地点に対応づけて記憶される。地点６１５１、６２５１、６３５１に設置された情報提供装置２の地点識別データ２１には、それぞれその地点に対応する地点識別データ６１５１Ｃ、６２５１Ｃ、６３５１Ｃが格納される。上述のように好ましくは、地点識別データ６１５１Ｃ、６２５１Ｃ、６３５１Ｃは、ＵＲＬ形式である。
【００３０】
図１０は、実施例１による画像データの構造を示す図である。この図１０は、図９の画像データ６１５１Ｇ、画像データ６２５１Ｇ、及び画像データ６３５１Ｇに相当するが、それぞれに複数の画像が含まれていることが特徴である。画像データは各地点に対応づけて１枚ずつ用意し、記憶しておいてもよいが、この図１０に示すように、複数用意し、記憶しておいてもよい。この場合にたとえば、昔撮影された画像データと今撮影された画像データのように異なる時に撮影された複数の画像データとすることが望ましい。図１０には、例として地点６１５１に関連する画像データ６１５１Ｇ０の構造を示したが、他の地点についても同様の構造である。画像データ６１５１Ｇ０には画像１データ６１５１Ｇ１、画像２データ６１５１Ｇ２、及び画像３データ６１５１Ｇ３が含まれている。
【００３１】
図１１は、実施例１によるサーバ装置３の動作を説明するためのフローチャートである。以下、実施例１による地域活性化システムの動作を図１〜図１１を用いて説明する。
【００３２】
最初に、サーバ装置３の記憶手段３２に地域データ８を記憶し、かつ、情報提供装置２の地点識別データ２１を格納する入力モードの手順を地点６１５１に関するデータ入力手順を例として説明する。
【００３３】
データ入力手順では、図１１のフローチャートはステップＳ３００の入力モード判定でｙｅｓ側が選択される。
【００３４】
ステップＳ３１０〜３１２でサーバ装置３の入力手段３１はそれぞれ地点識別データ５、ゾーン識別データ６、及び画像データ７を入力する。
【００３５】
ステップＳ３１３で入力された地点識別データ５、ゾーン識別データ６、及び画像データ７のそれぞれは地点識別データ６１５１Ｃ、ゾーン識別データ６１５１Ｚ、及び画像データ６１５１Ｇとして対応付けられることにより地点データ６１５１Ｄが生成され、ステップＳ３１４で記憶手段３２に格納される。好ましくは、地点識別データ６１５１Ｃと対応づけたＵＲＬによる接続に応じて送信するＨＴＭＬ画像としてゾーン識別データ６１５１Ｚ及び画像データ６１５１Ｇを記憶しておくとよい。地点６２５１、６３５１についても上記と同様の手順が繰り返され、それぞれ地点データ６２５１Ｄ，６３５１Ｄが生成され、記憶手段３２に格納される。この結果、記憶手段３２の中に図９に示した地域データ８が記憶される。
【００３６】
上記説明した例では、それぞれデータが順序良く連続して入力されるとしたが、データの入力は任意順又は中断しながらで良いのは言うまでもない。
【００３７】
ステップＳ３１５で地点６１５１、６２５１、６３５１に設置された情報提供装置２の地点識別データ２１には、それぞれその地点に対応する地点識別データ６１５１Ｃ、６２５１Ｃ、６３５１Ｃを格納する。
【００３８】
以上がサーバ装置３の記憶手段３２に地域データ８を記憶し、かつ、それぞれの地点に設置された情報提供装置２にその地点に対応した地点識別データ２１を格納する入力モードの手順の説明である。
【００３９】
次に、参加者がこの地域活性化システムを利用して地域を巡回する動作を説明する。この場合、図１１のフローチャートはステップＳ３００の入力モード判定でｎｏ側が選択される。
【００４０】
携帯端末検知手段２０は、参加者が地点６１５１に到達して携帯端末１を情報提供装置２に有線又は無線接続することにより参加者が地点６１５１に到達したことを検知し、地点識別データ２１及びスタンプデータ２３を携帯端末１に注入記憶させる。携帯端末１はサーバ装置３に有線又は無線で接続し、注入された地点識別データ２１をサーバ装置３に通知する。
【００４１】
サーバ装置３はステップＳ３５０で携帯端末１が接続されたことを知り、ステップＳ３５１でこの携帯端末１が地点６１５１に到達したことを知り、ステップＳ３５２で出力手段３３を駆動して記憶手段３２に格納されている地域データ８の中から次の目的地である地点データ６２５１Ｄの中の少なくともゾーン識別データ６２５１Ｚ及び画像データ６２５１Ｇを携帯端末１に送出する。
【００４２】
ゾーン識別データ６２５１Ｚ及び画像データ６２５１Ｇを受信した携帯端末１は、携帯端末に備えられた図示していない表示画面に表示する。参加者はこの画面表示に含まれているゾーン識別データ６２５１Ｚから次の目的地点６２５１がゾーン６２に属していること、及び画像データ６２５１Ｇから再生した画像（たとえば地点６２５１の外観写真）をヒントとして次の目的地点６２５１に向かって移動を開始する。
【００４３】
移動を完了して参加者が目的地点６２５１に到達したら、その地点に設置されている情報提供装置２を使用して同上の手順を繰り返し、その次の目的地点６３５１に向かって移動を開始する。以下、必要な回数だけ同様の移動を繰り返すことにより参加者はゴールに到達することができる。
【００４４】
上記が、参加者がこの地域活性化システムを利用して地域を巡回する動作の説明である。
【００４５】
なお、上記の説明はゾーン数が３の場合の例について説明したが、３以外の正の整数でもよいのは言うまでもない。
【００４６】
ゾーン数が１の場合にはゾーン識別データ６は入力する必要がなく、地点データ６１５１Ｄ，６２５１Ｄ，６３５１Ｄのすべてからゾーン識別データ６１５１Ｚ、６２５１Ｚ，６３５１Ｚを削除するか、又は同一のデータを格納すればよい。
【００４７】
なお、図２に示すように、各地を訪れたことをシステムによって証明するまでもない場合においては、情報提供装置２にスタンプデータ２３が必要ないことは言うまでもない。
【００４８】
また、図３に示すとともに、上述したように、地域が狭くてゾーンに分割するまでもない場合には、サーバ装置３にゾーン識別データを入力し、記憶する必要がないことは言うまでもない。
【実施例２】
【００４９】
本発明の実施例２による地域活性化システムを図１〜図１３を用いて説明する。図１〜図１１は実施例１による地域活性化システムと同様であるため説明を省略する。
【００５０】
図１２は、請求項４に係る発明の原理図１である。この図１２は、図７の地域構造図に相当するが、それぞれのゾーンに複数の地点が設定されており、また巡回すべきコースが設定されている点が特徴である。図１２には、図７に対してゾーン６１に地点６１５２〜６１５３が、ゾーン６２に地点６２５２〜６２５３が、ゾーン６３に地点６３５２〜６３５３が、コースを示すコースＡ及びコースＢが追加されている。
【００５１】
図１３は、請求項４に係る発明の原理図２である。この図１３は、図９の地域データ構造図に相当するが、図１２の第二の地域構造図でそれぞれのゾーンに複数の地点が設定されたのに対応して地点データの数が増加しており、かつコースＡ及びコースＢが示されている。
【００５２】
以下、実施例２による地域活性化システムの動作を図１〜１３を用いて説明する。重複による煩雑さを避けるため、実施例１による地域活性化システムの動作と異なる、又は追加される部分だけを説明する。
【００５３】
サーバ装置３の記憶手段３２に地域データ８を記憶し、かつ、情報提供装置２の地点識別データ２１を格納する入力モードの手順は実施例１による地域活性化システムの動作と異なる点はない。ただし、地点の数が増え、またそれぞれの地点に対応した画像データが増える分だけ入力手段３１の操作回数が増えること、及び参加者が巡回するコースとなるコースＡ、コースＢに関する情報がそれぞれの地点識別データの一部として地域データ８に追加されることが異なる。その結果、生成される地域データ８は図１３に示す如き第二の地域データ構造図となってサーバ装置３の記憶手段３２に記憶される。
【００５４】
参加者がこの地域活性化システムを利用して地域を巡回する動作も実施例１による地域活性化システムの動作と異なる点はない。ただし、参加者は巡回を開始する前に自分が巡回したいコースをコースＡ又はコースＢに決めねばならないことが異なる。参加者がコースを決定して巡回を開始した後は、携帯端末１が到達するそれぞれの地点に設置された情報提供装置２の地点識別データ２１を得て、実施例１による地域活性化システムと同様の巡回を継続することができる。
【００５５】
前記したように地点識別データには、その地点に関する情報及び巡回するコースに対応したコースの情報が含まれているので参加者がコースを間違うことはない。
【００５６】
図１０の画像データのようにそれぞれの地点に対応して複数の画像データが提供される場合、サーバ装置３が携帯端末１の要求に応じて複数の画像を一度にすべて又は一枚ずつ画面表示するか、又は携帯端末１は受信した複数の画像を不図示のボタン操作で一度にすべて又は一枚ずつ画面表示する。
【００５７】
上記はゾーン数が３、各ゾーンにはそれぞれ設定された地点数が３、設定されたコース数がコースＡとコースＢの２である場合の例について説明したが、これら数値のそれぞれは３又は２以外の正の整数でもよいのは言うまでもない。
【００５８】
なお、本発明は上記実施例に限定されるものではない。
【００５９】
図１２の第二の地域構造図では、コースＡは地点６１５１、６２５１、６３５１を巡回し、コースＢは地点６１５２、６２５３、６３５３を巡回するというそれぞれ異なる地点を巡回するとしたが、複数のコースで同一の地点を共用することも可能である。この場合、参加者が共用されている地点に到達したときにサーバ装置は出力手段３３からまず参加者がどのコースを選択するかを携帯端末１を保持する参加者に質問し、その回等結果に従って次の目的地点に関連したゾーン識別データと画像データを出力すればよい。
【００６０】
情報提供装置が携帯端末に情報を提供する手段は、上述のパソリとトルカの組合せのような電磁的な短距離通信に代えて、ＱＲコード（登録商標）のような二次元コードをデジタルカメラで撮影したり、バーコードを読み取るものなどの光学的なものでもよい。
【００６１】
サーバ装置が携帯端末に画像データなどを出力する手段は、上述の無線によるインターネット接続によるものに代えて、有線によるインターネット接続でもよいし、インターネット以外の通常の有線又は無線の通信手段を使うこともできる。
【００６２】
画像データの内容は、地域の外観だけでなく、古いレジスタなどの物を撮影したものでもよい。これによって地域にちなんだ物を対象とする宝探しゲームのようなイベントにも使うことができる。
【００６３】
本発明の地域活性化システムのサーバ装置は、コンピュータを本サーバ装置として機能させるためのプログラムでも実現される。このプログラムは、コンピュータで読み取り可能な記録媒体に格納されていてもよい。
【００６４】
このプログラムを記録した記録媒体は、図１に示されるサーバ装置３の記憶手段３２であってもよいし、また、外部記憶装置としてＣＤ−ＲＯＭドライブ等のプログラム読取装置が設けられ、そこに記録媒体を挿入することで読み取り可能なＣＤ−ＲＯＭ等であってもよい。
【００６５】
また、上記記録媒体は、磁気テープ、カセットテープ、フレキシブルディスク、ハードディスク、ＭＯ／ＭＤ／ＤＶＤ等、又は半導体メモリであってもよい。
【図面の簡単な説明】
【００６６】
【図１】請求項５に係る発明の原理図である。
【図２】請求項２に係る発明の原理図である。
【図３】請求項１に係る発明の原理図である。
【図４】実施例１による地域活性化システムの具体例を示す図である。
【図５】実施例１による画面の具体例１を示す図である。
【図６】実施例１による画面の具体例２を示す図である。
【図７】実施例１による地域構造を示す図である。
【図８】実施例１による地域構造の具体例を示す図である。
【図９】実施例１による地域データ構造を示す図である。
【図１０】実施例１による画像データの構造を示す図である。
【図１１】実施例１によるサーバ装置３の動作を説明するためのフローチャートである。
【図１２】請求項４に係る発明の原理図１である。
【図１３】請求項４に係る発明の原理図２である。
【符号の説明】
【００６７】
１          携帯端末
２          情報提供装置
２０        携帯端末検知手段
２１        地点識別データ
２３        スタンプデータ
３          サーバ装置
３１        入力手段
３２        記憶手段
３３        出力手段
５          地点識別データ
６          ゾーン識別データ
７          画像データ
８          地域データ
６１〜６３  ゾーン
６１５１    地点
６２５１    地点
６３５１    地点
６１５１Ｄ  地点データ
６２５１Ｄ  地点データ
６３５１Ｄ  地点データ
【図１】
2007304736.tif 000003
【図２】
2007304736.tif 000004
【図３】
2007304736.tif 000005
【図７】
2007304736.tif 000006
【図９】
2007304736.tif 000007
【図１０】
2007304736.tif 000008
【図１１】
2007304736.tif 000009
【図１２】
2007304736.tif 000010
【図１３】
2007304736.tif 000011
【図４】
2007304736.tif 000012
【図５】
2007304736.tif 000013
【図６】
2007304736.tif 000014
【図８】
2007304736.tif 000015